(57)【要約】【課題】外気に含まれる無視や粉塵を確実に捕捉することにより、メンテナンスを容易にした換気システムを提供すること。【解決手段】本換気システムは、給気する外気ＯＡと排気する室内空気ＲＡとを全熱交換する換気装置１を天井裏３に備え、フィルタを収納したフィルタボックス２を室内に配置している。フィルタボックス２は、上端開口の袋状濾材からなる外気フィルタ２３を収納する第１収納室２４を備え、外気フィルタ２３は、上端開口から外気ＯＡを袋状濾材内に導入し、袋状濾材により外気ＯＡを濾過して袋状濾材の外側に排出するように、上端開口縁部が第１フィルタ取付部２４ｃに取り付けられるとともに、袋状濾材を下方に引っ張ることにより、袋状濾材内に塵埃を保持した状態のまま第１フィルタ取付部２４ｃから容易に取り外しできるように構成されている。【選択図】図１
2014134367.tif 000002
【特許請求の範囲】
【請求項１】
給気する外気（ＯＡ）と排気する室内空気（ＲＡ）とを全熱交換させる全熱交換器（１２）を備えた、天井裏（３）に設置される換気装置（１）と、
前記換気装置（１）に搬送される外気（ＯＡ）中の塵埃を除去する外気フィルタ（２３）を収納する第１収納室（２４）を備えた、室内に設置されるフィルタボックス（２）とを有する換気システムであって、
前記フィルタボックス（２）は、ダクトにより前記換気装置（１）と接続され、
前記第１収納室（２４）は、外気（ＯＡ）を導入する第１導入口（２４ａ）を上面に有するとともに、この第１導入口（２４ａ）に連通する第１フィルタ取付部（２４ｃ）を上面から内側に突出させ、さらに、外気フィルタ（２３）通過後の外気を換気装置（１）へ送出するための第１送出口（２４ｂ）を側面に有し、
前記外気フィルタ（２３）は、上端開口の袋状濾材を有し、
前記外気フィルタの取付構造は、前記袋状濾材の上端開口内に前記第１フィルタ取付部（２４ｃ）が差し込まれた状態において、前記袋状濾材の上端開口縁部が前記第１フィルタ取付部（２４ｃ）に対し取り付けられるとともに、取り付けられた袋状濾材を下方に引っ張ることにより、袋状濾材が塵埃を内部に保持した状態のまま前記第１フィルタ取付部（２４ｃ）から取り外されるように構成されている
換気システム。
【請求項２】
請求項１記載の換気システムにおいて、
前記フィルタボックス（２）は、前記第１収納室（２４）の一側面に前記外気フィルタ（２３）のメンテナンスを行うための第１点検口（５１）を備えるとともに、この第１点検口（５１）を開閉するサービス扉（５３）を備え、このサービス扉（５３）には、前記外気フィルタ（２３）を外部から観察することのできる第１覗き窓（５５）が形成されている
換気システム。
【請求項３】
請求項２記載の換気システムにおいて、
前記第１収納室（２４）は、前記第１覗き窓（５５）から目視できる位置に、前記外気フィルタ（２３）の膨らみ状態により交換時期を識別するためのスケール（６０）が設置されている
換気システム。
【請求項４】
請求項２又は３記載の換気システムにおいて、
前記フィルタボックス（２）は、換気装置（１）へ搬送される室内空気（ＲＡ）中の塵埃を除去するための内気フィルタ（２５，７３）を収納する第２収納室（２６）を備え、
前記第２収納室（２６）は、一側面に第２点検口（５２）を備え、
前記第１収納室（２４）と前記第２収納室（２６）とは、両室の点検口が隣接するように水平方向に並んで配置され、
前記サービス扉（５３）は、両室の点検口を同時に開閉するように形成されている
換気システム。
【請求項５】
請求項４記載の換気システムにおいて、
前記サービス扉（５３）は、内気フィルタ（２５，７３）を外部から観察することのできる第２覗き窓（５６）を有する
換気システム。
【請求項６】
請求項５記載の換気システムにおいて、
前記第２収納室（２６）は、室内空気（ＲＡ）を導入する第２導入口（２６ａ）を上面に有するとともに、この第２導入口（２６ａ）に連通する第２フィルタ取付部（２６ｃ）を上面から内側に突出させ、さらに、内気フィルタ（２５）通過後の室内空気（ＲＡ）を送出する第２送出口（２６ｂ）を側面に有し、
前記内気フィルタ（２５）は、前記外気フィルタ（２５）と同一の仕様に形成され、前記外気フィルタ（２５）と同一の要領で着脱できるように形成されている
換気システム。
【請求項７】
請求項４又は５記載の換気システムにおいて、
前記内気フィルタ（２５，７３）は、塵埃濾過機能を有するとともに、脱臭機能を有する
換気システム。
【発明の詳細な説明】
【技術分野】
【０００１】
本発明は、給気する外気と排気する室内空気とを全熱交換させる換気装置を備えた換気システム、特に、換気装置とは別にフィルタを収納するフィルタボックスを備えた換気システムに関する。
【背景技術】
【０００２】
特許文献１には、従来の換気システムの一例が記載されている。この換気システムは、給気する外気と排気する室内空気とを全熱交換させる換気装置と、給気する外気中の塵埃を除去する外気フィルタと、排気する室内空気中の塵埃を除去する内気フィルタとを収納したボックス構造体とを備えている。また、メンテナンスの頻度の低い換気装置を天井裏に設置し、メンテナンス頻度の高いボックス構造体を手の届く室内に配置している。そして、換気装置とボックス構造体との間、換気装置と屋内外の吸入口又は吹出口との間、及びボックス構造体と屋内外の吸入口又は吹出口との間とはダクトにより接続されている。
【０００３】
ボックス構造体を室内に配置したのは、メンテナンスを簡単手軽に行えるようにするためである。また、ボックス構造体は、フィルタを横方向に抜き差しするように構成されていた。
【先行技術文献】
【特許文献】
【０００４】
【特許文献１】特開２００７−１８７４０８号公報
【発明の概要】
【発明が解決しようとする課題】
【０００５】
従来の換気システムは、一般に、前述のように外気フィルタを用いているが、外気には虫や粉塵が含まれるため、換気運転中に外気フィルタを収納する収納室の内壁面や外気フィルタの濾過面に虫や粉塵が付着することがあった。また、従来の換気システムでは、フィルタを横方向に抜き差しする作業によりフィルタ交換を行うように構成されているため、フィルタ交換作業時にフィルタの濾過面に付着している虫や粉塵を離散するおそれがあった。このため、従来の換気システムでは、メンテナンスとして、フィルタ交換以外にフィルタ収納室内の清掃やフィルタ収納室の壁面の清掃を必要としていた。
【０００６】
本発明は、このような従来技術における課題を解決するものであって、外気に含まれる虫や粉塵を確実に捕捉することにより、メンテナンスを容易にした換気システムを提供することを目的とする。
【課題を解決するための手段】
【０００７】
本発明に係る換気システムは、このような課題を解決したものであって、給気する外気と排気する室内空気とを全熱交換させる全熱交換器を備えた、天井裏に設置される換気装置と、前記換気装置に搬送される外気中の塵埃を除去する外気フィルタを収納する第１収納室を備えた、室内に設置されるフィルタボックスとを有する換気システムであって、前記フィルタボックスは、ダクトにより前記換気装置と接続され、前記第１収納室は、外気を導入する第１導入口を上面に有するとともに、この第１導入口に連通する第１フィルタ取付部を上面から内側に突出させ、さらに、外気フィルタ通過後の外気を前記換気装置へ送出するための第１送出口を有し、前記外気フィルタは、上端開口の袋状濾材からなり、前記外気フィルタの取付構造は、前記袋状濾材の上端開口内に前記第１フィルタ取付部が差し込まれた状態において、前記袋状濾材の上端開口縁部が前記第１フィルタ取付部に対し取り付けられるとともに、取り付けられた袋状濾材を下方に引っ張ることにより、袋状濾材が塵埃を内部に保持した状態のまま前記第１フィルタ取付部から取り外されるように構成されているものである。
【０００８】
このような構成によれば、外気が、上端開口から袋状濾材の内部に導入され、この袋状濾材で濾過された後に袋状濾材の外側へ送出されるので、袋状濾材内にて外気中の粉塵や虫等の塵埃が捕捉される。したがって、換気運転中、外気フィルタの設置されている第１収納室は、外気フィルタで濾過された後の外気の通り道となるので、第１収納室内が粉塵、虫等の塵埃により汚されずに、清潔に保持される。また、外気フィルタは、上端開口の袋状濾材からなり、外気フィルタの取付構造は、第１フィルタ取付部を上端開口に差し込んだ状態として、第１フィルタ取付部に対し取り付けられるとともに、取り付けられた袋状濾材を下方に引っ張ることにより、塵埃を袋状濾材内に蓄積した状態のまま容易に第１フィルタ取付部から取り外すことができる。したがって、外気フィルタの交換の際に塵埃を離散させる恐れが少なくなる。また、以上のように換気運転中及びフィルタ交換時において外気フィルタの第１収納室の汚染を軽減することができるので、清掃手間を軽減することができる。
【０００９】
また、前記フィルタボックスは、前記第１収納室の一側面に前記外気フィルタのメンテナンスを行うための第１点検口を備えるとともに、この第１点検口を開閉するサービス扉を備え、このサービス扉には、前記外気フィルタを外部から肉眼で観察することのできる第１覗き窓が形成されているものであってもよい。
【００１０】
このような構成によれば、サービス蓋を開けずに第１覗き窓により外気フィルタのごみ詰まり状態を外部から肉眼で観察することができる。なお、肉眼の観察のみでは外気フィルタの交換の要否を判別し難い場合は、サービス蓋を開放して直接外気フィルタに手を触れながら交換要否を判断することができる。
【００１１】
また、前記第１収納室は、前記第１点検窓から目視できる位置に、前記外気フィルタの膨らみ状態により交換時期を識別するためのスケールを設置してもよい。
このような構成によれば、サービス蓋の覗き窓からの目視によりフィルタの交換時期を確認することができる。また、サービス蓋を開閉する手間を省くことができるので、メンテナンス工数を軽減することができる。
【００１２】
また、前記フィルタボックスは、換気装置へ搬送される室内空気中の塵埃を除去するための内気フィルタを収納する第２収納室を備え、前記第２収納室は、一側面に第２点検口を備え、前記第１収納室と前記第２収納室とは、両室の点検口が隣接するように水平方向に並んで配置され、前記サービス扉は、両室の点検口を同時に開閉するように形成されているようにしてもよい。
【００１３】
このような構成によれば、フィルタボックスを内気フィルタ用と外気フィルタ用とを一つにまとめることができるので、コスト軽減に有益である。また、内気フィルタのメンテナンスも屋内の手の届く位置で行うことができる。また、サービス扉が外気フィルタ用と内気フィルタ用とが兼用されるので、コストが軽減される。また、一つのサービス扉を開閉することにより、外気フィルタと内気フィルタの双方の点検及びメンテナンスを行うことができるので、メンテナンス作業を軽減することができる。
【００１４】
また、サービス扉は、内気フィルタを外部から観察することのできる第２覗き窓を有するようにしてもよい。
このような構成によれば、外気フィルタと同様に、内気フィルタのごみ詰まり状態をも外部から観察することができる。
【００１５】
また、前記フィルタボックスは、室内空気を導入する第２導入口を上面に有するとともに、この第２導入口に連通する第２フィルタ取付部を上面から内側に突出させ、さらに、内気フィルタ通過後の室内空気を前記換気装置へ送出するための第２送出口を側面に有し、前記内気フィルタは、前記外気フィルタと同一の仕様に形成され、前記外気フィルタと同一の要領で着脱できるように形成されているようにしてもよい。
【００１６】
このような構成によれば、外気フィルタと内気フィルタとの共通部品化を図ることができ、コストを軽減することができる。また、外気フィルタの取扱いと内気フィルタの取扱いとが同一となるので、粉塵などによる第２収納室の汚れが軽減されるとともに、メンテナンス作業の慣れによりメンテナンス作業の負担も軽減される。
【００１７】
また、内気フィルタは、脱臭フィルタを有する構成としてもよい。
このような構成によれば、室内で発生する臭気を近隣に撒き散らすことを回避することができる。したがって、臭気を発生するおそれのある飲食店、印刷工場等向けの熱回収可能な換気システムとして有益である。
【発明の効果】
【００１８】
本発明に係る換気システムによれば、換気運転中及びフィルタ交換時における外気フィルタの収納室の汚染を軽減することができるので、清掃手間を軽減することができる。また、外気フィルタの交換作業も楽になる。
【図面の簡単な説明】
【００１９】
【図１】実施の形態１に係る換気システムの全体構成図である。
【図２】同換気システムにおけるフィルタボックスの正面図である。
【図３】同フィルタボックスの、サービス扉を開放した状態図である。
【図４】同フィルタボックスにおける、袋状濾材の取付け部の拡大図である。
【図５】同フィルタボックスにおける外気フィルタの取付手順説明図であって、（ａ）は袋状濾材と、袋状濾材に弾性リングを嵌め込む前の状態図であり、（ｂ）は袋状濾材に弾性リングを嵌め込んだ状態図であり、（ｃ）は弾性リングを嵌めた袋状濾材を、フィルタ取付部に取り付ける取付要領説明図である。
【図６】同フィルタボックスにおける袋状濾材の取外し要領説明図である。
【図７】同フィルタボックスに取り付けられているスケールの平面図である。
【図８】実施の形態２に係る換気システムの全体構成図である。
【図９】変形例に係る、袋状濾材の取付け部の拡大図である。
【発明を実施するための形態】
【００２０】
（実施の形態１）
図１に示すように、実施の形態１に係る換気システムは、排気する室内空気ＲＡと給気する外気ＯＡとの間で全熱交換させる換気装置１と、空気中の塵埃を除去するフィルタを収納したフィルタボックス２とを有している。メンテナンス頻度の低い換気装置１は天井裏３に設置され、メンテナンス頻度の高いフィルタボックス２は、屋内の手の届く位の位置の床面や壁面に設置されている。具体的には、フィルタボックス２は、室内４に隣接する機械室５に設置されている。
【００２１】
また、天井裏３の外壁面には、外気ＯＡを取り入れるための取入れ口６と、排気ＥＡとして室内空気ＲＡを屋外へ排気するための排出口７が設けられ、室内４の天井には、給気ＳＡとして外気ＯＡを室内４へ吹き出すための吹出口８が設けられるとともに、壁面には室内空気ＲＡを排出するための換気口９が設けられている。換気口９は、室内４側にグリル９ａを備え、背面側にダクト接続口９ｂを備えている。
【００２２】
図１に示すように、換気装置１は、箱型ケーシング１１の内部に、排気する室内空気ＲＡと給気する外気ＯＡとの間で全熱交換を行わせるための全熱交換器１２を備え、この全熱交換器１２の前後に給気経路１３及び排気経路１４が形成されている。また、給気経路１３における全熱交換器通過後の通路１３ａに給気ファン１５が設置され、排気経路１４における全熱交換器通過後の通路１４ａには排気ファン１６が設置されている。
【００２３】
また、換気装置１は、給気系の入口ダクト３１を接続する第１接続口１３ｂと、給気系の出口ダクト３２を接続する第２接続口１３ｃと、排気系の入口ダクト３３を接続する第３接続口１４ｂと、排気系の出口ダクト３４を接続する第４接続口１４ｃとを備えている。なお、入口ダクト３１、出口ダクト３２、入口ダクト３３及び出口ダクト３４は、それぞれ断面円形のフレキシブルダクトが使用され、第１接続口１３ｂ、第２接続口１３ｃ、第３接続口１４ｂ及び第４接続口１４ｃは、それぞれ断面円形のフレキシブルダクトを接続するダクト接続口として形成されている。また、給気系の出口ダクト３２は、給気ＳＡとして外気ＯＡを室内４へ吹き出すための吹出口８に接続され、排気系の出口ダクト３４は、排気ＥＡとして室内空気ＲＡを屋外へ排気するための排出口７に接続されている。
【００２４】
図２及び図３に示すように、フィルタボックス２は、箱形ケーシング２１を有する。箱形ケーシング２１は、平板状の仕切板２２により内部が水平方向に略均等に二分されている。一方の室は、換気装置１に送られる外気ＯＡ中の塵埃を除去するための外気フィルタ２３を収納する第１収納室２４とされ、他方の室は、換気装置１に送られる室内空気ＲＡ中の塵埃を除去するための内気フィルタ２５を収納する第２収納室２６とされている。このように、第１収納室２４と第２収納室２６とは仕切板２２を挟んで、水平方向で隣接する状態となっている。
【００２５】
第１収納室２４は、外気を導入するための第１導入口２４ａを上面に備え、外気フィルタ２３において塵埃が除去された後の外気を換気装置１へ送出するための第１送出口２４ｂを側面に備えている。第１導入口２４ａ及び第１送出口２４ｂは、それぞれ断面円形のフレキシブルダクトを接続するダクト接続口として形成されている。そして、第１導入口２４ａは、給気系の外気導入ダクト３５により外気ＯＡを取り入れるための取入れ口６へ接続され、第１送出口２４ｂは前述の給気系の入口ダクト３１により換気装置１の第１接続口１３ｂに接続されている。なお、外気導入ダクト３５は、断面円形のフレキシブルダクトが使用されている。
【００２６】
第２収納室２６は、室内空気ＲＡを導入するための第２導入口２６ａを上面に備え、内気フィルタ２５において塵埃が除去された後の室内空気ＲＡを換気装置１へ送出するための第２送出口２６ｂを側面に備えている。第２導入口２６ａ及び第２送出口２６ｂは、それぞれ断面円形のフレキシブルダクトを接続するダクト接続口として形成されている。そして、第２導入口２６ａは、排気系の内気導入ダクト３６により室内空気ＲＡを排出するための換気口９に接続され、第２送出口２６ｂは前述の排気系の入口ダクト３３により換気装置１の第３接続口１４ｂに接続されている。なお、内気導入ダクト３６は、断面円形のフレキシブルダクトが使用されている。
【００２７】
外気フィルタ２３及び内気フィルタ２５は、それぞれ合成繊維、濾紙などを素材とした使い捨て型の袋状濾材からなる。そして、第１収納室２４の上面内側には、第１導入口２４ａに連通する略円筒状の第１フィルタ取付部２４ｃが第１収納室２４内下方に向けて突出するように形成され、この第１フィルタ取付部２４ｃに対し、外気フィルタ２３が取り付けられている。また、第２収納室２６の上面内側には、第２導入口２６ａに連通する第２フィルタ取付部２６ｃが第２収納室２６内下方に向けて突出するように形成され、この第２フィルタ取付部２６ｃに対し、外気フィルタ２３が取り付けられている。
【００２８】
したがって、外気フィルタ２３及び内気フィルタ２５は、袋状濾材の上方から袋状濾材内へ空気を吸い込み、袋状濾材の濾過面を通して袋状濾材の外側へ空気を流出させる構成となっている。このため、空気中の塵埃は、袋状濾材内部に捕捉されて蓄積される。
【００２９】
次に、フィルタ取付構造について説明する。
ただし、外気フィルタ取付構造と内気フィルタ取付構造とは同一であるので、図４においては、共通の部品を除き括弧内に内気フィルタ用部品の符号を記載する。以下、外気フィルタ２３の取付構造を説明する。なお、内気フィルタの取付構造の説明は、共通部品を除き内気フィルタ用部品の符号に読み替えたものとなる。したがって、重ねての説明は省略する。
【００３０】
図４に示すように、第１フィルタ取付部２４ｃは、丸型ダクトを接続する第１導入口２４ａと一体的に略円筒状に形成されたものであって、第１収納室２４の上面を貫通する部分に取付フランジ２４ｄを備え、この取付フランジ２４ｄによりケーシング２１の上面に取り付けられている。第１フィルタ取付部２４ｃの下方部の周面には断面略半円形の溝２４ｅが形成されている。この溝２４ｅは、袋状濾材からなる外気フィルタ２３の上端開口部の縁部を弾性素材、例えば合成ゴム製からなるリング状止輪４１により弾性的に取り付けるためのものであって、リング状止輪４１の位置を固定する役割を有する。
【００３１】
次に、図５及び図６に基づき、このように構成された第１フィルタ取付部２４ｃに対する外気フィルタ２３の取付方法及び取り外し方法を説明する。なお、上記のように、外気フィルタ取付構造と内気フィルタ取付構造とは同一であるので、以下の説明では外気フィルタ２３の取付部を代表例として説明し、内気フィルタ２５の取付構造の説明は省略する。
【００３２】
図５（ａ）に示すように、外気フィルタ２３の取り付けに際し、外気フィルタ２３と、外気フィルタ２３の上端開口縁部に嵌めるリング状止輪４１とを用意する。次に。図５（ｂ）に示すように、リング状止輪４１を、袋状濾材の開口縁部に嵌め、次いで図５（ｃ）に示すように開口縁部をリング状止輪４１に巻き付ける。そして、図５（ｃ）に示すように、袋状濾材の開口縁部をリング状止輪４１に巻き付けた状態のものを、手で持って下方から第１フィルタ取付部２４ｃの先端に向けて押し付けるようにして、第１フィルタ取付部２４ｃの先端部を袋状濾材の先端の開口部に嵌め込む。こうすると、袋状濾材の開口縁部が巻きつけられたリング状止輪４１が溝２４ｅ内に嵌り込んで、袋状濾材が弾性的に把持されて外気フィルタ２３が第１フィルタ取付部２４ｃの所定位置に取り付けられる。
【００３３】
次に、このようにして取り付けられた外気フィルタ２３を取り外すときは、図６に示すように、袋状濾材の適宜の場所を手で持って下方に引っ張ればよい。外気フィルタ２３は、上端開口縁部が断面円形のリング状止輪４１により取り付けられているので、下方に引っ張ると、リング状止輪４１が伸びて溝２４ｅから下方に位置ずれして外される。したがって、外気フィルタ２３の取外しは、外気フィルタ２３を、取付時と同様の上下方向を維持したまま行われる。
【００３４】
次に、フィルタボックス２におけるメンテナンスに関連する構造について説明する。
図３に示すように、フィルタボックス２は、箱形ケーシング２１における仕切板２２に対し垂直な一面を、外気フィルタ２３及び内気フィルタ２５のメンテナンスを行うための点検口としている。換言すると。第１収納室２４の第１点検口５１と第２収納室２６の第２点検口５２とが仕切板２２を挟んで隣接している。そして、これら点検口が隣接するこの一面には、これら点検口を同時に開閉するようにサービス扉５３が取り付けられている。図３に示すように、サービス扉５３は、一端（この図では右端）においてヒンジで支持され、回転ドア式に開閉できるように構成されている。
【００３５】
また、サービス扉５３は、外部から外気フィルタ２３を観察することができるようにするための第１覗き窓５５と、外部から内気フィルタ２５を観察することができるようにするための第２覗き窓５６とが板金加工により形成されている。また、第１覗き窓５５及び第２覗き窓５６には、周囲部材と一体的に横桟が形成されている。
【００３６】
さらに、第１覗き窓５５から外気フィルタ２３を覗いた場合に、第１覗き窓５５から目視できる位置に、外気フィルタ２３の膨らみ状態により交換時期を識別するためのスケール６０が設置されている。図３及び図７に示すように、このスケール６０は、高さ方向の寸法を目視で判断するための高さ方向スケール６１と、袋状濾材の膨らみ状態を目視で判断するための巾方向スケール６２とで構成されている。
【００３７】
高さ方向スケール６１は、外気フィルタ２３の適切な交換時期における、袋状濾材の底面の高さ位置を示すように、水平板部６１ａを第１収納室２４の側面から内方に向けて突出させたものである。また、巾方向スケール６２は、外気フィルタ２３の適切な交換時期における、袋状濾材のサービス窓から見た左右の外周位置を示すように、板面を垂直方向とした一対の垂直面板部６２ａを第１収納室２４の背面から前方に向けて突出させてものである。そして、一対の垂直面板部６２ａの寸法が、交換時期にきた外気フィルタ２３の略外径と一致するように形成されている。
【００３８】
したがって、外気フィルタ２３内に外気中の虫、粉塵などの塵埃が溜まった場合に、その高さ方向及び幅方向の膨らみを目視することにより外気フィルタ２３の塵埃の詰まり具合を判断することができる。
【００３９】
次に、本実施の形態に係る換気システムの動作について説明する。
換気システムは、換気装置１内の給気ファン１５及び排気ファン１６を駆動することにより運転開始される。
【００４０】
図１に実線矢印で示すように、運転が開始されると、室内へ給気すべき外気ＯＡが取入れ口６から吸入され、排気すべき室内空気が換気口９から吸入される。
取入れ口６から吸入された外気ＯＡは、外気導入ダクト３５及び第１導入口２４ａを経由してフィルタボックス２の袋状濾材からなる外気フィルタ２３の内部に導入される。外気ＯＡに含まれる虫や粉塵を含んだ塵埃は、外気ＯＡが袋状濾材の内部から外部へ流れる際に濾過される。濾過された塵埃は、袋状濾材からなる外気フィルタ２３内に捕捉されて蓄積される。
【００４１】
外気フィルタ２３により塵埃が濾過された外気ＯＡは、第１収納室２４を経由し、第１送出口２４ｂから給気系の入口ダクト３１を通って換気装置１の第１接続口１３ｂに運ばれる。第１接続口１３ｂに運ばれた外気ＯＡは、全熱交換器１２において排気される室内空気ＲＡと全熱交換して、通路１３ａ、第２接続口１３ｃ及び給気系の出口ダクト３２を経由し、吹出口８から室内４へ給気ＳＡとして吹き出される。
【００４２】
一方、換気口９から吸入された室内空気ＲＡは、内気導入ダクト３６及び第２導入口２６ａを経由してフィルタボックス２の袋状濾材からなる内気フィルタ２５の内部に導入される。室内空気ＲＡ中の塵埃は、室内空気ＲＡが袋状濾材の内部から外部へ流れる際に濾過される。濾過された塵埃は、袋状濾材からなる内気フィルタ２５内に捕捉されて蓄積される。
【００４３】
内気フィルタ２５により塵埃が濾過された室内空気ＲＡは、第２収納室２６を経由し、第２送出口２６ｂから排気系の入口ダクト３３を通って換気装置１の第３接続口１４ｂに運ばれる。第３接続口１４ｂに運ばれた外気ＯＡは、全熱交換器１２において給気される外気ＯＡと全熱交換して、通路１４ａ、第４接続口１４ｃ及び排気系の出口ダクト３４を経由し、排出口７から屋外へ排気ＥＡとして排出される。
【００４４】
本換気システムは、上記のように換気運転されるので、排気される室内空気ＲＡから熱回収をしながら外気ＯＡが室内４へ給気される。また、外気ＯＡ及び室内空気ＲＡ中の塵埃は、全熱交換器１２に入る前に袋状濾材からなる外気フィルタ２３及び内気フィルタ２５の内部に捕捉される。したがって、これフィルタを収納する第１収納室２４及び第２収納室２６内は塵埃除去の清浄な空気のみが通過するので、壁面への塵埃の付着がなく清潔に保持される。また、外気ＯＡ及び室内空気ＲＡは全熱交換器に入る前に塵埃が除去されるので、全熱交換器１２の目詰まりが軽減される。
【００４５】
外気フィルタ２３及び内気フィルタ２５は、ごみ詰まりを生じた場合には空気抵抗が大きくなり通風能力が低下するので、適宜の間隔で交換する必要がある。フィルタの交換は、一定時間毎に行う方法も考えられるが、設置場所により交換時期を一律に定めることができない。したがって、一定時間毎にフィルタを交換する方法は、必ずしも適切な時期を選択し得ることにはならない。そこで、本換気システムでは、これを是正するために第１覗き窓５５及び第２覗き窓５６から外気フィルタ２３及び内気フィルタ２５における塵埃の溜まり状況を観察しうるようにしている。また、特にメンテナンス頻度が高くなる外気フィルタ２３については、第１覗き窓５５から交換時期が到来しているかどうかの判断を適切に下すことができるように、スケール６０を設けている。
【００４６】
外気フィルタ２３及び内気フィルタ２５は、高さ方向に長い袋状濾材から形成されているので、塵埃がこの袋状濾材内に蓄積されていくと、袋状濾材の長さが長くなるとともに、その径がだんだんに大きくなっていくことになる。袋状濾材が所定長さに成ったかどうかは、袋状部材の底面が、高さ方向スケール６１の水平板部６１ａに接触することによりこれを知ることができる。また、袋状濾材の径が太くなると、袋状部材の側面が幅方向スケール６２の垂直板部に挟まれるような形で接触する。
【００４７】
本実施の形態に係る換気システムは、以上のように構成されているので、次のような効果を奏することができる。
（１）換気装置１へ搬送される外気ＯＡは、上端開口の袋状濾材からなる外気フィルタ２３において、上端開口部から袋状濾材内に導入され、袋状濾材の内側から外側へ流通する際に濾過される。このため、外気ＯＡ中に含まれる虫や粉塵などの塵埃が袋内に捕捉され蓄積される。したがって、外気フィルタ２３を収納する第１収納室２４内の壁面に虫や粉塵が付着するようなことがなく、第１収納室２４内の清掃の手間を省くことができる。
【００４８】
（２）外気フィルタ２３は、第１フィルタ取付部２４ｃに対し弾性的に把持されて取り付けられており、袋状濾材を第１フィルタ取付部２４ｃから下方に引っ張ると、取付時の上下方向を維持した状態で第１フィルタを交換することができる。したがって、フィルタの交換に際しフィルタに捕捉された粉塵や虫を飛散させるおそれがない。従来のものでは離散した塵埃を清掃しなければならなかったが、本換気システムにおいてはこのような清掃が不要になる。また、フィルタ交換も容易に行えるので、メンテナンスが簡略化される。
【００４９】
（３）第１収納室２４の第１点検口５１を開閉するサービス扉５３に第１覗き窓５５が形成されているので、外気フィルタ２３における塵埃の蓄積状態を外部から容易に観察することができる。これにより、メンテナンスが簡略化される。
【００５０】
（４）第１収納室２４には、外気フィルタ２３の交換時期を判別するスケール６０が第１覗き窓５５から見える位置に取り付けられているので、第１覗き窓５５からの目視により、メンテナンス頻度の高い外気フィルタ２３の交換時期を的確に判断することができる。これにより、メンテナンスが簡略化される。
【００５１】
（５）フィルタボックス２は、室内空気ＲＡ中の塵埃を除去するための内気フィルタ２５を収納する第２収納室２６を備えるように構成されているので、両フィルタを収納するボックスが１個でよく、コストが軽減される。
【００５２】
（６）第１収納室の第１点検口５１と第２収納室の第２点検口５２とがフィルタボックス２の一面において隣接するように形成され、さらに、共通のサービス扉５３により開閉されるように形成されているので、一つのサービス扉の開閉により両フィルタのメンテナンスを行うことができる。これにより、メンテナンスが簡略化される。
【００５３】
（７）サービス扉５３は、内気フィルタ２５を観察することのできる第２覗き窓を備えているので、内気フィルタ２５の塵埃の蓄積状態を外部から容易に観察することができる。これにより、メンテナンスが簡略化される。
【００５４】
（８）内気フィルタ２５も外気フィルタ２３と同様の袋状濾材からなり、外気フィルタ２３と同様の取付構造とされているので、交換作業を容易に行うことができる。また、交換に際し内気フィルタ２５に捕捉された塵埃を離散させることがない。このように、内気フィルタ２５のメンテナンス作業も簡略化される。
【００５５】
（９）外気フィルタ２３と内気フィルタ２５とが同一の仕様とされ同一の取り付け構造とされているので部品の共通化を図ることができ、コスト軽減に効果を発揮することができる。
【００５６】
（実施の形態２）
次に、実施の形態２について説明する。
図８に示すように、実施の形態２は、実施の形態１において、第２収納室２６の構造を変更するとともにフィルタボックスの取付位置を変更したものである。以下実施の形態１との相違点を中心に説明する。また、実施の形態１と同一の要素には、同一の符号を付しその説明を省略する。
【００５７】
実施の形態２に係るフィルタボックス２は、実施の形態１の場合と同様に、第１収納室２４と第２収納室２６とを備えているが、第２収納室２６の構成が実施の形態１と異なる。
【００５８】
この実施の形態における第２収納室２６は、室内空気ＲＡを導入する第２導入口７１が側面に形成され、フィルタで濾過した後の室内空気ＲＡを換気装置１へ送出するための第２送出口７２が上面に形成されている。また、第２送出口７２は、実施の形態１の場合と同様に丸型ダクトの接続口として形成されているが、第２導入口７１は、ダクト接続口としてではなく、周囲の空気を直接第２収納室２６内へ吸い込むように吸い込みグリルが形成された構造をなしている。
【００５９】
また、第２収納室２６に収納される内気フィルタ７３は、従来のものと同様に横方向に抜き差しするように取り付けられて平板状のものである。また、内気フィルタ７３は、塵埃除去機能を有するとともに、脱臭機能を備えたものとして構成されている。
【００６０】
以上のように構成されたフィルタボックス２は、実施の形態１の場合と異なり、機械室５に設置されているのではなく、居住スペースである室内４に設置されている。したがって、第２導入口７１には室内空気ＲＡが直接吸い込まれる。なお、第２送出口７２は、実施の形態１の場合と同様に、排気系の入口ダクト３３により換気装置１の第３接続口に接続されている。
【００６１】
以上のように構成された実施の形態２の換気システムは、次のように動作する点で実施の形態１と異なる。
室内空気ＲＡは、側面に形成された第２導入口７１から第２収納室２６に導入され、内気フィルタ７３で塵埃が濾過されるとともに、室内空気ＲＡの臭気が脱臭される。塵埃の濾過された室内空気ＲＡは、第２送出口７２及び排気系の入口ダクト３３を介して換気装置１の第３接続口１４ｂへ搬送される。換気装置１以降の動作及び給気系の動作は、実施の形態１と同様である。
【００６２】
上記のように構成される実施の形態２に係る換気システムは、実施の形態１に係る（１）〜（７）の効果を奏し、加えて次の効果（１０）を奏することができる。
（１０）内気フィルタ７３は、塵埃除去機能を有するとともに、脱臭機能を備えているので、室内４で発生する臭気を近隣に撒き散らすことを回避することができる。したがって、臭気を発生する飲食店や印刷工場などの用途向けに最適である。
【００６３】
（変形例）
上記各実施の形態において以下のように変更することもできる。
・実施の形態１において、機械室５の気密性を保持できる場合は、内気導入ダクト３６を省略し、室内空気ＲＡを換気口９及び機械室５を経由し、第２導入口２６ａから室内空気ＲＡを吸入し、これを排気することもできる。なお、この場合は、換気口９は、室内空気ＲＡを機械室５に導く機能を有するのみでよいので、換気口９の機械室５側のダクト接続口を廃止したものとしてもよい。
【００６４】
・実施の形態２において、フィルタボックス２を機械室に設置するようにしてもよい。また、この場合に、機械室と居住用室内とを仕切る壁面に換気口を設け、この換気口を、第２収納室２６側面の第２導入口７１に直結させればよい。こうすると、第２導入口７１から確実に室内空気ＲＡを吸入することができる。
【００６５】
・実施の形態１において、内気フィルタ２５を実施の形態２と同様に横方向に抜き差しする構造のフィルタに変更してもよい。また、内気フィルタ２５を、脱臭機能を有するフィルタとしてもよい。
【００６６】
・実施の形態１及び実施の形態２において、外気フィルタ２３及び内気フィルタ２５の袋状濾材の開口縁部を合成ゴム等の弾性素材からのリング状止輪４１により弾性的に取り付けられていたが、図９に示すようにこのような取り付けを、金属製の薄板からなるバンド部材４２をねじ等の締め付け具４３で締め付ける構造としてもよい。この場合は、第１フィルタ取付部２４ｃ及び第２フィルタ取付部２６ｃの下端を、図示のように拡径させておくと袋状濾材の取り付けがしっかりする。なお、袋状濾材を取り外すときは、締め付け具を緩めて袋状濾材を引っ張れば、袋状濾材を容易に下方に引き下ろすことができる。
【００６７】
・実施の形態１及び実施の形態２において、別個に形成されたリング状止輪４１に代わり、袋状濾材の開口縁部に環状の弾性部材を縫い付けるなり、環状の弾性部材を収納する収納部を形成し、これに環状の弾性部材を収納するなどして、袋状濾材の開口縁部自体に弾性を持たせるようにしてもよい。
【００６８】
・実施の形態１において、第１送出口２４ｂ及び第２送出口２６ｂが側面に設けられていたが、これら送出口を、上面、下面、背面などの適宜の位置に変更することもできる。
・実施の形態２において、第１送出口２４ｂを、上面、下面、背面などの適宜の位置に変更することもできる。また、実施の形態２において、第２送出口７２を、側面、背面などなどの適宜の位置に変更することもできる。また、実施の形態２において、第２導入口７１を、下面、背面などなどの適宜の位置に変更することもできる。
【００６９】
・実施の形態１及び２において、メンテナンス頻度の低い内気フィルタ２５、７３を観察するための第２覗き窓５６を省略するようにしてもよい。この場合は、外気フィルタ２３をメンテナンスするためにサービス扉５３を開いた際などにおいて内気フィルタ２５，７３の塵埃捕捉状況を確認するようにすればよい。
【００７０】
・実施の形態１及び実施の形態２において、第１覗き窓５５と第２覗き窓５６とを合体させ、仕切板２２を挟む第１収納室２４及び第２収納室２６を同時に観察することができるようにしてもよい。このようにすれば、構造が簡略化されコストを軽減することができる。
【００７１】
・実施の形態１及び実施の形態２において、排気系の入口ダクト３１、出口ダクト３２及び外気導入ダクト３５や、給気系の入口ダクト３３、出口ダクト３４及び内気導入ダクト３６を断面円形のフレキシブルダクトとしたが、これらを断面四角形の金属製のダクトとしてもよい。なお、このようにダクトの形状を変更する場合は、各ダクト接続口をダクトの形状に整合させるようにすればよい。
【符号の説明】
【００７２】
ＥＡ…排気、ＯＡ…外気、ＲＡ…室内空気、ＳＡ…給気、１…換気装置、２…フィルタボックス、３…天井裏、４…室内、１２…全熱交換器、２３…外気フィルタ、２４…第１収納室、２４ａ…第１導入口、２４ｂ…第１送出口、２４ｃ…第１フィルタ取付部、２５，７３…内気フィルタ、２６…第２収納室、２６ａ，７１…第２導入口、２６ｂ，７２…第２送出口、２６ｃ…第２フィルタ取付部、５１…第１点検口，５２…第２点検口、５３…サービス扉、５５…第１覗き窓，５６…第２覗き窓、６０…スケール。
【図１】
2014134367.tif 000003
【図２】
2014134367.tif 000004
【図３】
2014134367.tif 000005
【図４】
2014134367.tif 000006
【図５】
2014134367.tif 000007
【図６】
2014134367.tif 000008
【図７】
2014134367.tif 000009
【図８】
2014134367.tif 000010
【図９】
2014134367.tif 000011